【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
減圧治療システムであって、
ユーザの足の下方に配置される圧縮性ブラダーであって、チャンバ壁に実質的に包囲されたチャンバを有するとともに、減圧を生成するために、膨張位置と圧縮位置との間で動作可能な圧縮性ブラダーと、
前記圧縮性ブラダーを前記膨張位置に向けて付勢するために前記チャンバ壁と動作可能に関連する弾性部材と、
前記ユーザの組織部位に配置されて、前記圧縮性ブラダーの前記チャンバと連通するマニホールドと、
前記組織部位に送達される前記減圧を調整するために、前記チャンバと前記マニホールドとの間に流体流通可能に連結される圧力調整器とを備えることを特徴とするシステム。
【請求項２】
請求項１に記載のシステムにおいて、前記組織部位からの滲出液を収集するために、前記チャンバと前記マニホールドとの間に流体流通可能に連結されるキャニスタをさらに備えることを特徴とするシステム。
【請求項３】
請求項１に記載のシステムにおいて、前記圧縮性ブラダーが、前記膨張位置に向けて膨張するときに、前記チャンバ内で前記減圧を生成することを特徴とするシステム。
【請求項４】
請求項１に記載のシステムにおいて、前記付勢部材が前記チャンバ内に配置されることを特徴とするシステム。
【請求項５】
請求項１に記載のシステムにおいて、前記付勢部材が連続気泡発泡体であることを特徴とするシステム。
【請求項６】
請求項１に記載のシステムにおいて、前記付勢部材が前記チャンバの外部に配置されることを特徴とするシステム。
【請求項７】
請求項１に記載のシステムにおいて、
前記ユーザの前記足の下方に配置される第２圧縮性ブラダーであって、第２チャンバ壁に実質的に包囲された第２チャンバを有するとともに、第２の減圧を生成するために、膨張位置と圧縮位置との間で動作可能な第２圧縮性ブラダーと、
前記第２圧縮性ブラダーを前記膨張位置に向けて付勢するために前記第２チャンバ壁と動作可能に関連する第２付勢部材とをさらに備え、
前記第２圧縮性ブラダーの前記第２チャンバが前記マニホールドと連通し、
第１圧縮性ブラダーが前記足の前側部分の下方に位置し、前記第２圧縮性ブラダーが前記足の踵部分の下方に位置することを特徴とするシステム。
【請求項８】
減圧治療システムであって、
ユーザの足の下方に配置可能な圧縮性チャンバであって、膨張位置と圧縮位置との間で動作することができ、かつ入口および出口を有する圧縮性チャンバと、
前記圧縮性チャンバ内の流体が前記入口から流出するのを阻止するために、前記入口と連通する入口弁と、
流体が前記出口を通じて前記圧縮性チャンバに流入するのを阻止するために、前記出口と連通する出口弁と、
前記圧縮性チャンバを前記膨張位置に向けて付勢するために前記圧縮性チャンバ内に配置される付勢手段と、
組織部位に配置可能であって、前記圧縮性チャンバの前記入口と連通するマニホールドと、
前記組織部位に送達される減圧を調整するために、前記圧縮性チャンバの前記入口と前記マニホールドとの間に流体流通可能に連結される圧力調整器とを備えることを特徴とするシステム。
【請求項９】
請求項８に記載のシステムにおいて、前記組織部位からの滲出液を収集するために、前記圧縮性チャンバの前記入口と前記マニホールドとの間に流体流通可能に連結されるキャニスタをさらに備えることを特徴とするシステム。
【請求項１０】
請求項８に記載のシステムにおいて、前記圧縮性チャンバがブラダーであることを特徴とするシステム。
【請求項１１】
請求項８に記載のシステムにおいて、前記圧縮性チャンバが、前記膨張位置に向けて膨張するときに、前記減圧を生成することを特徴とするシステム。
【請求項１２】
請求項８に記載のシステムにおいて、前記付勢部材が連続気泡発泡体であることを特徴とするシステム。
【請求項１３】
請求項８に記載のシステムにおいて、
前記ユーザの前記足の下方に配置可能な第２圧縮性チャンバであって、膨張位置と圧縮位置との間で動作することができ、かつ第２入口および第２出口を有する第２圧縮性チャンバと、
前記第２圧縮性チャンバ内の流体が前記第２入口から流出するのを阻止するために、前記第２入口と連通する第２入口弁と、
流体が前記第２出口を通じて前記第２圧縮性チャンバに流入するのを阻止するために、前記第２出口と連通する第２出口弁と、
前記第２圧縮性チャンバを前記膨張位置に向けて付勢するために前記第２圧縮性チャンバ内に配置される第２付勢手段とをさらに備え、
前記第２圧縮性チャンバが前記マニホールドと連通し、
第１圧縮性チャンバが前記足の前側部分の下方に位置し、前記第２圧縮性チャンバが前記足の踵部分の下方に位置することを特徴とするシステム。
【請求項１４】
減圧治療システムであって、
ユーザの足の下方に配置可能な圧縮性ブラダーであって、チャンバを有するとともに、膨張位置と圧縮位置との間で動作可能な圧縮性ブラダーと、
前記圧縮性ブラダーを前記膨張位置に向けて付勢するために前記チャンバ内に配置される付勢部材と、
第１可変容量キャビティおよび第２可変容量キャビティを有し、前記第１可変容量キャビティが前記圧縮性ブラダーの前記チャンバに流体流通可能に連結される圧力調整器と、
組織部位に配置可能であって、前記圧力調整器の前記第２可変容量キャビティと連通するマニホールドとを備えることを特徴とするシステム。
【請求項１５】
請求項１４に記載のシステムにおいて、前記第１可変容量キャビティが、前記チャンバから正に加圧された空気を受け取ったときに、膨張するように構成されていることを特徴とするシステム。
【請求項１６】
請求項１４に記載のシステムにおいて、前記第１可変容量キャビティが膨張したときに、前記第２可変容量キャビティが膨張して減圧を生成するように構成されていることを特徴とするシステム。
【請求項１７】
請求項１４に記載のシステムにおいて、前記第１可変容量キャビティが、前記チャンバから正に加圧された空気を受け取ったときに、膨張するように構成されるとともに、前記第１可変容量キャビティが膨張したときに、前記第２可変容量キャビティが膨張して減圧を生成するように構成されていることを特徴とするシステム。
【請求項１８】
請求項１４に記載のシステムにおいて、前記圧力調整器が蛇腹装置を含むことを特徴とするシステム。
【請求項１９】
請求項１４に記載のシステムにおいて、前記チャンバが入口および出口を含み、前記システムがさらに、前記チャンバから流出する流体が前記入口を通過するのを阻止するために、前記入口と連通する入口弁と、流体が前記出口を通じて前記チャンバに流入するのを阻止するために、前記出口と連通する出口弁とを備えることを特徴とするシステム。
【請求項２０】
請求項１４に記載のシステムにおいて、前記組織部位からの滲出液を収集するために、前記第２可変容量キャビティと前記マニホールドとの間に流体流通可能に連結されるキャニスタをさらに備えることを特徴とするシステム。
【請求項２１】
請求項１４に記載のシステムにおいて、前記付勢部材が連続気泡発泡体であることを特徴とするシステム。
【請求項２２】
請求項１４に記載のシステムにおいて、
前記ユーザの前記足の下方に配置可能な第２圧縮性ブラダーであって、第２チャンバを有するとともに、膨張位置と圧縮位置との間で可動な第２圧縮性ブラダーと、
前記第２圧縮性ブラダーを前記膨張位置に向けて付勢するために前記第２チャンバ内に配置される第２付勢部材とをさらに備え、
前記第２圧縮性ブラダーの前記第２チャンバが前記第１可変容量キャビティと連通し、
第１圧縮性ブラダーが前記足の前側部分の下方に位置し、前記第２圧縮性ブラダーが前記足の踵部分の下方に位置することを特徴とするシステム。
【請求項２３】
減圧治療システムであって、
ユーザの足の下方に配置される圧縮性ブラダーであって、チャンバ壁に実質的に包囲されたチャンバを有するとともに、減圧を生成するために、膨張位置と圧縮位置との間で動作可能な圧縮性ブラダーと、
前記圧縮性ブラダーを前記膨張位置に向けて付勢するために前記チャンバ壁と動作可能に関連する弾性部材と、
前記ユーザの組織部位に配置されて、前記圧縮性ブラダーの前記チャンバと連通するマニホールドと、
前記ユーザの前記足の下方に配置される第２圧縮性ブラダーであって、第２チャンバ壁に実質的に包囲された第２チャンバを有するとともに、第２の減圧を生成するために、膨張位置と圧縮位置との間で動作可能な第２圧縮性ブラダーと、
前記第２圧縮性ブラダーを前記膨張位置に向けて付勢するために前記第２チャンバ壁と動作可能に関連する第２付勢部材とを備え、
前記第２圧縮性ブラダーの前記第２チャンバが前記マニホールドと連通し、
第１圧縮性ブラダーが前記足の前側部分の下方に位置し、前記第２圧縮性ブラダーが前記足の踵部分の下方に位置することを特徴とするシステム。
【請求項２４】
減圧治療システムであって、
ユーザの足の下方に配置可能な圧縮性チャンバであって、膨張位置と圧縮位置との間で動作することができ、かつ入口および出口を有する圧縮性チャンバと、
前記圧縮性チャンバ内の流体が前記入口から流出するのを阻止するために、前記入口と連通する入口弁と、
流体が前記出口を通じて前記圧縮性チャンバに流入するのを阻止するために、前記出口と連通する出口弁と、
前記圧縮性チャンバを前記膨張位置に向けて付勢するために前記圧縮性チャンバ内に配置される付勢手段と、
組織部位に配置可能であって、前記圧縮性チャンバの前記入口と連通するマニホールドと、
前記ユーザの前記足の下方に配置可能な第２圧縮性チャンバであって、膨張位置と圧縮位置との間で動作することができ、かつ第２入口および第２出口を有する第２圧縮性チャンバと、
前記第２圧縮性チャンバ内の流体が前記第２入口から流出するのを阻止するために、前記第２入口と連通する第２入口弁と、
流体が前記第２出口を通じて前記第２圧縮性チャンバに流入するのを阻止するために、前記第２出口と連通する第２出口弁と、
前記第２圧縮性チャンバを前記膨張位置に向けて付勢するために前記第２圧縮性チャンバ内に配置される第２付勢手段とを備え、
前記第２圧縮性チャンバが前記マニホールドと連通し、
第１圧縮性チャンバが前記足の前側部分の下方に位置し、前記第２圧縮性チャンバが前記足の踵部分の下方に位置することを特徴とするシステム。